(57)【要約】【課題】操作使用性に優れ、適正且つ的確動作を保証する。【解決手段】複数の係止の操作位置に対応する係合部を有するベース部材２０４と、ベース部材２０４に移動自在に支持された操作部材２０５と、操作部材２０５と一体に移動してベース部材２０４の係合部に弾性係合するクリック部材２０６とを含む。中間の操作位置にクリック部材２０６を保持する凹部２０４ｇとし、両端の操作位置においてクリック部材２０６を端方向に付勢する斜面部２０４ｉを有する。【選択図】図５Ａ
2011040283.tif 000002
【特許請求の範囲】
【請求項１】
ベース部材に対してスライド操作することで、少なくとも３つ以上の操作位置を持つ操作部材と、
前記操作部材に固定され、前記操作部材が操作されることで前記ベース部材に対して移動するクリック部材とを有し、
前記クリック部材には前記ベース部材に向かって突出形成される凸部が形成されるとともに、
前記ベース部材には、前記操作部材がスライド端とならない第１の操作位置に操作されるときに、前記凸部が位置する第１の領域の両端にリブ部を形成し、前記操作部材がスライド端となる第２の操作位置に操作されるときに、前記凸部が位置する第２の領域に斜面部を形成し、
前記操作部材を前記第１の操作位置から前記第２の操作位置に操作するときに、前記凸部が前記リブ部を乗り越えた後、前記凸部が前記斜面部を滑ることで、前記操作部材がスライド端に向けて付勢されることを特徴とする電子機器。
【請求項２】
前記第２の領域には、前記凸部が嵌り込む凹部が形成されることを特徴とする請求項１に記載の電子機器。
【請求項３】
前記凹部は円弧状、台形状又はＶ字状に形成されることを特徴とする請求項２に記載の電子機器。
【発明の詳細な説明】
【技術分野】
【０００１】
本発明は、電子機器に関し、特にスライド操作することで、少なくとも３つ以上の操作位置を持つ電子機器に関する。
【背景技術】
【０００２】
近年、デジタルカメラやビデオカメラなどの小型の電子機器においては、機能やモードを切り換えるためのスライドスイッチなどが電子機器の内部の基板、フレキシブル基板等に取り付けられている。機能やモードの切り換え動作は、筐体に組み込まれた操作用ツマミをスライドさせて行われるのが一般的である。一方、機能やモードの切り換え時のクリックは、スライドスイッチ自体に持たせているものと操作用ツマミにクリック機能を持たせているものがある。
【０００３】
また、３つの位置の間のスライド移動により３つの接点の切り換えを行う３操作位置スイッチがある。この３操作位置スイッチにおいて、スライド操作部材とスライド操作部材を保持する保持部材とを具備する。スライド操作部材は、切り換え操作を行う操作部とこの操作部の移動を各位置において制限するためのスライド側係合部とを備える。保持部材は、操作部と対向した上面部とスライド側係合部に各位置と対応して係合する第１、第２及び第３の係合部とを備える。スライド側係合部が第１の係合部と係合しているとき、操作部が上面部の端部から突き出し、この突き出し距離が第１の係合部の位置と第２の係合部の位置との距離に略等しいことを特徴とする技術が開示されている（例えば、特許文献１参照）。
【先行技術文献】
【特許文献】
【０００４】
【特許文献１】特開平１０−２２８８４１号公報
【発明の概要】
【発明が解決しようとする課題】
【０００５】
前述した特許文献１における構成では、第１の係合部の位置にある時にスライド操作部材が上面部の端部から突き出しており、第２の係合部の位置（以下、中立位置）にスライドすることでスライド操作部材と上面部の端部を一致させる構成である。このためスライド操作時に使用者の指が意識的にスライド操作部材と上面部の端部に掛かっていないと中立位置が判らない問題がある。
【０００６】
更に各操作位置での係合構造において、スライド操作部材上に配設されている凸係合部と保持部材上に配設されている凹係合部がお互いにＲ形状となっている。このため停止した位置でのスライド操作部材の左右方向のガタを吸収するストッパ構造ではないので、ガタが発生し易い問題もある。また、中立位置以外の操作位置では操作部が上面部の端部より突き出しているので、見た目に違和感があり、操作部の突き出し部に外力が掛かった際に操作部に変形や破損を起こし易い問題もある。
【０００７】
本発明は上記従来の課題に鑑みてなされたものであり、操作・使用性に優れ、適正且つ的確動作を保証することを目的とする。
【課題を解決するための手段】
【０００８】
本発明の電子機器は、ベース部材に対してスライド操作することで、少なくとも３つ以上の操作位置を持つ操作部材と、前記操作部材に固定され、前記操作部材が操作されることで前記ベース部材に対して移動するクリック部材とを有し、前記クリック部材には前記ベース部材に向かって突出形成される凸部が形成されるとともに、前記ベース部材には、前記操作部材がスライド端とならない第１の操作位置に操作されるときに、前記凸部が位置する第１の領域の両端にリブ部を形成し、前記操作部材がスライド端となる第２の操作位置に操作されるときに、前記凸部が位置する第２の領域に斜面部を形成し、前記操作部材を前記第１の操作位置から前記第２の操作位置に操作するときに、前記凸部が前記リブ部を乗り越えた後、前記凸部が前記斜面部を滑ることで、前記操作部材がスライド端に向けて付勢されることを特徴とする。
【発明の効果】
【０００９】
本発明によれば、操作部材を所望の操作位置に確実に停止すると共に、各操作位置でのガタつきを抑えることが可能となる。
【図面の簡単な説明】
【００１０】
【図１】本発明の実施形態に係る電子スチルカメラの正面及び背面斜視図である。
【図２Ａ】本発明を適用した実施形態に係る操作部材の保持構成を示す背面視分解斜視図である。
【図２Ｂ】本発明を適用した実施形態に係る操作部材の保持構成を示す裏面視分解斜視図である。
【図３】本発明を適用した実施形態に係る操作部材の保持構成を示す上面図及び背面図である。
【図４】本発明を適用した実施形態に係る操作部材の第１の操作位置を示す裏面図である。
【図５Ａ】本発明を適用した実施形態に係る操作部材の第１の操作位置を示す、図４のＡ−Ａ線に沿う断面図である。
【図５Ｂ】本発明を適用した実施形態に係る操作部材の第２の操作位置を示す、図４のＡ−Ａ線に沿う断面図である。
【図５Ｃ】本発明を適用した実施形態に係る操作部材の第３の操作位置を示す、図４のＡ−Ａ線に沿う断面図である。
【図６Ａ】本発明を適用した実施形態に係る操作部材の第４の操作位置を示す裏面図である。
【図６Ｂ】本発明を適用した実施形態に係る操作部材の第５の操作位置を示す裏面図である。
【発明を実施するための形態】
【００１１】
以下、添付図面に従って本発明の電子機器における好適な実施の形態について詳細に説明する。
図１は、本発明の実施形態に係る電子スチルカメラの正面及び背面斜視図である。図において、１０１は電子機器（本発明ではカメラを示す）の外装であるカメラ筐体、１０２は撮影光学系を構成しているレンズ鏡筒、１０３は電源ボタン、１０４はレリーズボタンである。また、１０５はカメラの撮影モードなどを変更するためのモードレバー（以下、操作部材とする）、１０６はストロボ、１０７は撮影画像の確認・再生、撮影条件などの各種情報を表示する液晶表示パネルを保護するための保護窓である。１０８は時計・反時計回りに回動可能で、且つ上下左右４箇所と中央部１箇所に対し押し込み操作が可能な操作ダイヤル、１０９は再生モードやメニューなどの操作ボタンであり、このように構成される電子機器装置は、本発明の実施の一例である。
【００１２】
図２Ａは、本発明を適用した実施形態に係る操作部材の保持構成を示す背面視分解斜視図、図２Ｂは、本発明を適用した実施形態に係る操作部材の保持構成を示す裏面視分解斜視図である。図３は、本発明を適用した実施形態に係る操作部材の保持構成を示す上面図及び背面図である。
これらの図において、２０２はフレキシブルプリント基板であり、フレキシブルプリント基板２０２上に公知であるモード切り換え用の複数接点構造を持つ電気素子のスライドスイッチ２０３が、不図示の端子部で半田付け等で実装されている。スライドスイッチ２０３上のツマミ２０３ａを左右に動作させることにより、電気的導通がなされ切り換えを行っている。
【００１３】
２０１は本体内に配設された複数の内部構造部材を保持するためのメインフレームである。メインフレーム２０１上に形成されているボス２０１ａと、フレキシブルプリント基板２０２上に形成されている貫通穴２０２ａとが嵌合して位置決めされ、メインフレーム２０１上の上面２０１ｂに不図示の両面テープ等の接着手段で固定される。
【００１４】
次に、ベース部材２０４に形成されている貫通穴２０４ｃと、操作部材２０５上に形成されている軸部２０５ｂとが摺動可能に嵌合して保持される。更に操作部材２０５上に形成されているボス２０５ｃと、クリック部材２０６上に形成されている貫通穴２０６ｂとが嵌合して位置決めされる。操作部材２０５上に形成されている締結穴２０５ｄと、クリック部材２０６上に形成されている貫通穴２０６ｃとが不図示のビス締め等の手段で固定される。
【００１５】
ベース部材２０４上に形成される当接面２０４ｄと、操作部材２０５上に形成されている当接面２０５ａとが適度なクリアランスを保って摺動可能に係止されている。また、同様にベース部材２０４上に形成されている当接リブ２０４ｅと、クリック部材２０６上に形成されている当接面２０６ｄとが適度なクリアランスを保って摺動可能に係止されている。これにより操作部材２０５がスライド操作されると、ベース部材２０４を挟んで一体化された操作部材２０５とクリック部材２０６が左右に動作する。また、操作部材２０５を左右に動作する際の傾き防止をするためにベース部材２０４上に形成されているボス２０４ｆと、クリック部材２０６上に形成されている貫通長穴２０６ａとが摺動可能に嵌合されている。なお、クリック部材２０６上に形成されている腕部２０６ｆは、クリック部材２０６上に突出形成されている凸部２０６ｇが弾性変形し易い形状となっている。
【００１６】
次に、ベース部材２０４上に形成されている嵌合穴２０４ａと、メインフレーム２０１上に形成されているボス２０１ａが嵌合して位置決めされる。ベース部材２０４上に形成されている爪部２０４ｂと、メインフレーム２０１上に形成されている穴部２０１ｃがパッチン等の係止手段で保持される。また、ベース部材２０４とメインフレーム２０１を組み付ける際に、フレキシブルプリント基板２０２上に実装されているスライドスイッチ２０３のツマミ２０３ａに、クリック部材２０６上に形成されている保持部２０６ｅの位相を合わせる。この時ツマミ２０３と保持部２０６ｅは、適度なクリアランスを保って係止されている。なお、後述する操作部材２０５が左右に動作する際に、操作部材２０５と一体化したクリック部材２０６上に形成されている保持部２０６ｅが左右に動作する時に、ツマミ２０３を押しツマミ２０３の位置を切り換える。本実施形態では、スライドスイッチ２０３は３つの操作位置を有するものである。したがって、操作部材２０５は３つの操作位置を持つ。スライドスイッチが３つ以上の操作位置を持つ場合には、操作部材２０５は３つ以上の操作位置を持つ。
【００１７】
ここで、図４は、本発明を適用した実施形態に係る操作部材の第１の操作位置を示す裏面図である。
図５Ａは、本発明を適用した実施形態に係る操作部材の第１の操作位置を示す、図４のＡ−Ａ線に沿う断面図である。
図５Ｂは、本発明を適用した実施形態に係る操作部材の第２の操作位置を示す、図４のＡ−Ａ線に沿う断面図である。
図５Ｃは、本発明を適用した実施形態に係る操作部材の第３の操作位置を示す、図４のＡ−Ａ線に沿う断面図である。
【００１８】
次に、操作部材２０５のスライド動作を説明する。ベース部材２０４に支持された操作部材２０５は、複数（この例では３つ）の操作位置に移動可能であるが、各の操作位置に保持可能となっている。ベース部材２０４は、操作部材２０５が各操作位置となるときに、凸部２０６ｇが位置する操作位置の各領域を有する。操作部材２０５がスライド端とならない第１の操作位置に位置する時は、ベース部材２０４上の第１の領域に形成されている凹部２０４ｇに、クリック部材２０６上に形成されている凸部２０６ｇが適度なチャージを持ちながら嵌まり込む。クリック部材２０６は、ベース部材２０４に対して弾性係合するようになっている。更に、ベース部材２０４上の第１の領域の両端にはリブ部２０４ｈが形成されている。このリブ部２０４ｈは、操作部材２０５がスライド端とならない第１の操作位置に位置するときに、クリック部材２０６上に形成されている凸部２０６ｇが位置する第１の領域の両端に形成されている。クリック部材２０６上に形成されている凸部２０６ｇと、ベース部材２０４上に形成されているリブ部２０４ｈとを当接させることにより、図５Ａの矢印Ｂ方向及び矢印Ｃ方向への操作部材２０５のガタが吸収される。
【００１９】
本発明の実施形態において、クリック部材２０６上に形成されている凸部２０６ｇと、ベース部材２０４上に形成されているリブ部２０４ｈとを当接させているが、適度なクリアランスを設ける構成にしても本発明と同様の効果が得られる。
また、本発明の実施形態において、クリック部材２０６上に形成されている凸部２０６ｇと、ベース部材２０４上に形成されている凹部２０４ｇは円弧状で構成されている。この形状に限定されず、台形状あるいはＶ字状などにしても本発明と同様の効果が得られる。
【００２０】
次に、操作部材２０５が第１の操作位置から矢印Ｂ方向に操作され、スライド端となる第２の操作位置に動作する時は、クリック部材２０６上に形成されている凸部２０６ｇが、ベース部材２０４上に形成されているリブ部２０４ｈを乗り越える。そして、ベース部材２０４上の第２の領域に形成されている斜面部２０４ｉに移動する。この傾斜部２０４ｉは端に近づくほど高さが低くなる斜面である。クリック部材２０６上に形成されている凸部２０６ｇは斜面部２０４ｉを押す方向の力が作用しているので、凸部２０６ｇは斜面部２０４ｉを端に向けて滑ることとなる。これによって、この傾斜部２０４ｉにおいてクリック部材２０６を端方向に付勢する。この時、クリック部材２０６上に形成されている凸部２０６ｇが、ベース部材２０４上に形成されているリブ部２０４ｈを乗り超える際に適度なクリックが得られる。また、クリック部材２０６上に形成されている凸部２０６ｇと、ベース部材２０４上に形成されている斜面部２０４ｉを適度なチャージを持たせて当接させることにより図５の矢印Ｃ方向への操作部材２０５のガタが吸収される。
【００２１】
次に、操作部材２０５が第１の操作位置から図５の矢印Ｃの第３の操作位置に動作する時は、クリック部材２０６上に形成されている凸部２０６ｇが、ベース部材２０４上に形成されているリブ部２０４ｈを乗り越える。そして、ベース部材２０４上に形成されている斜面部２０４ｉに移動する。この時、クリック部材２０６上に形成されている凸部２０６ｇが、ベース部材２０４上に形成されているリブ部２０４ｈを乗り超える際に適度なクリックが得られる。また、クリック部材２０６上に形成されている凸部２０６ｇと、ベース部材２０４上に形成されている斜面部２０４ｉを適度なチャージを持たせて当接させることにより矢印Ｂ方向への操作部材２０５のガタが吸収される。
【００２２】
更に本発明の実施形態の変形例として、ベース部材２０４の一部を変更してスライドの操作位置を増やした場合のスライド動作を説明する。なお、詳細な機構構成は、上述した本発明の実施形態と実質的に同様であるためその説明を省略する。
図６Ａは、本発明を適用した実施形態に係る操作部材の第４の操作位置を示す裏面図である。図６Ｂは、本発明を適用した実施形態に係る操作部材の第５の操作位置を示す裏面図である。
【００２３】
操作部材２０５が第４の操作位置に位置する時は、ベース部材２０４上に形成されている凹部２０４ｇに、クリック部材２０６上に形成されている凸部２０６ｇが適度なチャージを持ちながら嵌まり込む。更に、ベース部材２０４上に形成されている凹部２０４ｇの両端に近接する様にリブ部２０４ｈが配設されている。クリック部材２０６上に形成されている凸部２０６ｇと、ベース部材２０４上に形成されているリブ部２０４ｈを当接させることにより図６Ａの矢印Ｄ方向及び矢印Ｅ方向への操作部材２０５のガタが吸収される。
【００２４】
次に、操作部材２０５が第４の操作位置から図６Ａの矢印Ｅの第５の操作位置に動作する時は、クリック部材２０６上に形成されている凸部２０６ｇが、ベース部材２０４上に形成されているリブ部２０４ｈを乗り越える。そして、ベース部材２０４上に形成されている凹部２０４ｇに、クリック部材２０６上に形成されている凸部２０６ｇが適度なチャージを持ちながら嵌まり込む。この時、クリック部材２０６上に形成されている凸部２０６ｇとベース部材２０４上に形成されているリブ部２０４ｈを当接されていることにより、図６の矢印Ｄ方向及び矢印Ｅ方向への操作部材２０５のガタが吸収される。
【００２５】
なお、操作部材２０５が第４の操作位置から図６Ａの矢印Ｄあるいは第５の操作位置から図６Ａの矢印Ｅの操作位置に動作する場合は、前述した第２の操作位置と第３の操作位置と同様であるため説明は割愛する。
【００２６】
また、本発明は、１眼レフカメラ、レンズシャッタカメラ、ビデオカメラ、デジタルカメラ等種々の形態のカメラに対して同様に適用可能である。更には、カメラ以外の光学機器やその他の装置、それらカメラや光学機器やその他の装置に適用される装置、又はこれらを構成する要素に対しても適用できるものである。
これらの機器もしくは装置は、操作位置スイッチのスライド操作により切り換え可能な複数の機能を有する電子機器であってよく、本発明はかかる電子機器等に有効に適用可能である。
【符号の説明】
【００２７】
１０１  カメラ筐体
１０２  レンズ鏡筒
１０３  電源ボタン
１０４  レリーズボタン
１０５  モードレバー
１０６  ストロボ
１０７  保護窓
１０８  操作ダイヤル
１０９  操作ボタン
２０１  メインフレーム
２０２  フレキシブルプリント基板
２０３  スライドスイッチ
２０４  ベース部材
２０５  操作部材
２０６  クリック部材
【図１】
2011040283.tif 000003
【図２Ａ】
2011040283.tif 000004
【図２Ｂ】
2011040283.tif 000005
【図３】
2011040283.tif 000006
【図４】
2011040283.tif 000007
【図５Ａ】
2011040283.tif 000008
【図５Ｂ】
2011040283.tif 000009
【図５Ｃ】
2011040283.tif 000010
【図６Ａ】
2011040283.tif 000011
【図６Ｂ】
2011040283.tif 000012